(57)【要約】【課題】低挿入損失な通過帯域と、高アイソレーションな遮断周波数帯域とを必要とする特性が、従来のそれよりも優れていること。【解決手段】バンドパスフィルタ回路１０は、入力される入力信号に対応する入力周波数に対して、第１遮断周波数と第２遮断周波数との間の周波数帯域である通過帯域を通過させる。この回路１０は、共振回路１〜３を具備している。共振回路１、２は、信号線路６に直列に接続され、それぞれ第１、第２遮断周波数が設定されている。共振回路３は、信号線路６上で共振回路１と共振回路２とが接続されるノードＮ１から、信号線路６に並列に接続され、第１遮断周波数と第２遮断周波数との間の通過中心周波数が設定されている。この回路１０は、共振回路１とノードＮ１との間に設けられた容量性回路Ｃ２と、共振回路２とノードＮ１との間に設けられた誘導性回路Ｌ２と、容量性回路Ｃ２及び誘導性回路Ｌ２とのいずれかを更に具備している。【選択図】図３
2008005182.tif 000002
【特許請求の範囲】
【請求項１】
入力される入力信号に対応する入力周波数に対して、第１遮断周波数と第２遮断周波数との間の周波数帯域である通過帯域を通過させるバンドパスフィルタ回路であって、
信号線路に直列に接続され、それぞれ前記第１、第２遮断周波数として第１、第２共振周波数が設定された第１、第２共振回路と、
前記信号線路上で前記第１共振回路と前記第２共振回路とが接続される接続ノードから、前記信号線路に並列に接続され、前記第１遮断周波数と前記第２遮断周波数との間の通過中心周波数として第３共振周波数が設定された第３共振回路とを具備し、
前記第１共振回路と前記接続ノードとの間に設けられた容量性回路と、前記第２共振回路と前記接続ノードとの間に設けられた誘導性回路と、前記容量性回路及び前記誘導性回路と
のいずれかを更に具備するバンドパスフィルタ回路。
【請求項２】
請求項１に記載のバンドパスフィルタ回路において、
前記第１共振回路は、前記信号線路上で第１ポートと前記接続ノードとの間に設けられ、前記第１共振周波数を設定するために並列に接続された第１インダクタと第１キャパシタとを有し、
前記第２共振回路は、前記信号線路上で前記接続ノードと第２ポートとの間に設けられ、前記第２共振周波数を設定するために並列に接続された第２インダクタと第２キャパシタとを有し、
前記第３共振回路は、前記第３共振周波数を設定するために並列に接続された第３インダクタと第３キャパシタとを有する
バンドパスフィルタ回路。
【請求項３】
請求項１又は２に記載のバンドパスフィルタ回路において、
前記容量性回路は、前記信号線路上で前記第１共振回路に直列に接続された第４キャパシタを有し、
前記誘導性回路は、前記信号線路上で前記第２共振回路に直列に接続された第４インダクタを有する
バンドパスフィルタ回路。
【請求項４】
請求項１〜３のいずれかに記載のバンドパスフィルタ回路において、
前記第３共振回路は、その一端が前記接続ノードに接続され、その他端が接地されている
バンドパスフィルタ回路。
【請求項５】
請求項１〜４のいずれかに記載のバンドパスフィルタ回路とアンテナと含み、送信データを変調して送信無線信号に変換し、前記アンテナから送出する通信装置と、
前記送信データを前記通信装置に出力する制御装置とを具備し、
前記アンテナは、前記入力信号である受信無線信号を受信し、
前記バンドパスフィルタ回路は、前記無線信号に対応する前記入力周波数に対して前記通過帯域を通過させ、
前記通信装置は、前記無線信号を復調して受信データに変換し、前記制御装置に出力する
通信機器。
【請求項６】
請求項５に記載の通信機器において、
更に、
マイクと、
スピーカとを具備し、
前記制御装置は、前記マイクにより入力された送信用音声を表す送信音声データを生成し、前記送信音声データを含む前記送信データを前記通信装置に出力し、
前記受信データは、受信用音声を表す受信音声データを含み、
前記制御装置は、前記通信装置からの前記受信データを入力し、前記受信データに含まれる前記受信音声データが表す前記受信用音声を前記スピーカに出力する
通信機器。
【発明の詳細な説明】
【技術分野】
【０００１】
本発明は、通信機器に搭載されるバンドパスフィルタ回路に関する。
【背景技術】
【０００２】
近年、通信機器として、８００ＭＨｚ帯、２ＧＨｚ帯の周波数を用いる携帯電話機が普及されている。また、通信機器として、２ＧＨｚ帯、５ＧＨｚ帯の周波数を用いる無線ＬＡＮが普及されつつある。そこで、上記の通信機器に入力される入力信号に対応する入力周波数に対して、雑音や干渉による周波数成分を除去するために、その通信機器には、バンドパスフィルタ回路が搭載される。バンドパスフィルタ回路は、入力周波数に対して、通過中心周波数を含む通過帯域を通過させ、通過帯域以外の遮断周波数帯域を遮断する。バンドパスフィルタ回路では、通過中心周波数を通過させるときの通過特性において、特に損失が少ないこと（低挿入損失であること）が求められている。
【０００３】
従来のバンドパスフィルタ回路として、特開２００４−２４８１２１号公報（特許文献１）にバンドパスフィルタが記載されている。そのバンドパスフィルタ回路を図１に示す（特許文献１）。
従来のバンドパスフィルタ回路によれば、一端同士が接地されると共に互いに結合し、通過中心周波数に共振する共振線路１０１、１０２と、共振線路１０１の他端と入力端（第１ポートＰ１）との間に接続された並列共振回路１１１と、共振線路１０２の他端と出力端（第２ポートＰ２）との間に接続された並列共振回路１１２とを備えている。並列共振回路１１１、１１２は、並列に接続されたインダクタとキャパシタとを有している。そこで、並列共振回路１１１、１１２の共振周波数を通過中心周波数よりも低くしたことを特徴としている。これにより、並列共振回路１１１、１１２によって通過中心周波数よりも低い方の妨害信号を抑圧できる。
更に、従来のバンドパスフィルタ回路によれば、共振線路１０１、１０２の他端間にキャパシタＣ１０１を接続している。そこで、共振線路１０１、１０２とキャパシタＣ１０１とによる並列共振周波数を通過中心周波数よりも高くしたことを特徴としている。これにより、並列共振回路１１１、１１２とキャパシタＣ１０１とによって通過帯域幅の調整も可能である。
【０００４】
従来のバンドパスフィルタ回路では、通過中心周波数に共振する共振線路１０１、１０２を互いに結合しなければならない。このため、通常λ／４の長さのラインを引き回すことは、特に数ＧＨｚ帯においては、面積が大きくなり好ましくない。また、面積を小さくするためにスパイラルインダクタ等を用いた場合は、たとえば多層基板の上下での結合をしなければならなくなる。
従来のバンドパスフィルタ回路では、共振線路１０１、１０２が通過中心周波数に共振する長さである。このため、共振線路１０１、１０２とキャパシタＣ１０１による並列共振周波数よりもさらに高い周波数ではインピーダンスが高くなり接地性が悪くなり、強い減衰が得られない欠点を有する。
【０００５】
図２は、従来のバンドパスフィルタ回路の伝送特性図である。ここで、図２では、周波数（ｆｒｅｑ）が１．８ＧＨｚ、２．５ＧＨｚ、３．５ＧＨｚであるときの挿入損失ｄＢ（Ｓ（２、１））について、それぞれ、マーカーｍ１３、ｍ６、ｍ１５により表している。挿入損失ｄＢ（Ｓ（２、１））は、通過特性Ｓ（２、１）を用いて、例えば、−２０×ｌｏｇＳ（２、１）［ｄＢ］により表される。通過特性Ｓ（２、１）は、第２ポートＰ２の入射電力を０とした場合、（第２ポートＰ２の反射電力）／（第１ポートＰ１の入射電力）により表される。
そこで、従来のバンドパスフィルタ回路では、通過中心周波数２．５ＧＨｚにおける挿入損失は０．７８６ｄＢであり、低域側遮断周波数１．８ＧＨｚにおける挿入損失は６７．１ｄＢであり、高域側社団周波数３．５ＧＨｚにおける挿入損失は２４．１ｄＢである。その上、他の周波数帯でも概ね１５ｄＢ以上（−１５ｄＢ以下）である。
【０００６】
このように、バンドパスフィルタ回路が搭載される通信機器では、雑音や干渉による周波数成分を従来のそれよりも除去することができれば、通信を行なうときの信頼性が更に向上する。そのためには、低挿入損失な通過帯域と、高アイソレーションな遮断周波数帯域とを必要とする特性が、従来のそれよりも優れているバンドパスフィルタ回路が望まれる。
【０００７】
特許文献１の他に上記に関連する技術を紹介する。
【０００８】
特開２００５−３２８２６２号公報（特許文献２）にはフィルタが記載されている。フィルタは、リアクタンス回路で構成する並列枝部と直列枝部を交互に複数接続し、少なくとも１つの該直列枝部のリアクタンス回路は２つの並列共振回路を直列に接続して構成する。前記フィルタは、前記の直列に接続された２つの並列共振回路を接続する導体と前記フィルタの接地導体との間に誘導性リアクタンス回路を備えることを特徴としている。これにより、前記フィルタにおいて、２つの並列共振回路を接続する導体の容量成分の影響を低減する。
【０００９】
特開平８−１４８９５８号公報（特許文献３）にはフィルタ回路が記載されている。フィルタ回路は、入力端子と出力端子間に複数のＬＣ並列共振回路が並列に接続されているチェビシェフ形フィルタ回路である。前記フィルタ回路は、減衰域に極を形成するためのコンデンサを、所定の位置に少なくとも一つ接続したこと、を特徴としている。これにより、インダクタンスの数が少なく、かつ、急峻な減衰特性を得ることができる。
【００１０】
【特許文献１】特開２００４−２４８１２１号公報（請求項１、２、図１、図４）
【特許文献２】特開２００５−３２８２６２号公報（請求項１）
【特許文献３】特開平８−１４８９５８号公報（請求項１）
【発明の開示】
【発明が解決しようとする課題】
【００１１】
本発明の課題は、低挿入損失な通過帯域と、高アイソレーションな遮断周波数帯域とを必要とする特性が、従来のそれよりも優れているバンドパスフィルタ回路を提供することにある。
【課題を解決するための手段】
【００１２】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１３】
本発明のバンドパスフィルタ回路（１０）は、入力される入力信号に対応する入力周波数に対して、第１遮断周波数と第２遮断周波数との間の周波数帯域である通過帯域を通過させる。このバンドパスフィルタ回路（１０）は、第１、第２共振回路（１、２）と、第３共振回路（３）とを具備している。
前記第１、第２共振回路（１、２）は、信号線路（６）に直列に接続されている。前記第１、第２共振回路（１、２）は、それぞれ前記第１、第２遮断周波数として第１、第２共振周波数が設定されている。
前記第３共振回路（３）は、前記信号線路（６）上で前記第１共振回路（１）と前記第２共振回路（２）とが接続される接続ノード（Ｎ１）から、前記信号線路（６）に並列に接続されている。前記第３共振回路（３）は、前記第１遮断周波数と前記第２遮断周波数との間の通過中心周波数として第３共振周波数が設定されている。
このバンドパスフィルタ回路（１０）は、前記第１共振回路（１）と前記接続ノード（Ｎ１）との間に設けられた容量性回路（Ｃ２）と、前記第２共振回路（２）と前記接続ノード（Ｎ１）との間に設けられた誘導性回路（Ｌ２）と、前記容量性回路（Ｃ２）及び前記誘導性回路（Ｌ２）とのいずれかを更に具備している。
【００１４】
本発明のバンドパスフィルタ回路（１０）において、前記第１共振回路（１）は、前記信号線路（６）上で第１ポート（Ｐ１）と前記接続ノード（Ｎ１）との間に設けられ、前記第１共振周波数を設定するために並列に接続された第１インダクタ（Ｌ１）と第１キャパシタ（Ｃ１）とを有している。
前記第２共振回路（２）は、前記信号線路（６）上で前記接続ノード（Ｎ１）と第２ポート（Ｐ２）との間に設けられ、前記第２共振周波数を設定するために並列に接続された第２インダクタ（Ｌ３）と第２キャパシタ（Ｃ３）とを有している。
前記第３共振回路（３）は、前記第３共振周波数を設定するために並列に接続された第３インダクタ（Ｌ４）と第３キャパシタ（Ｃ４）とを有している。
【００１５】
本発明のバンドパスフィルタ回路（１０）において、前記容量性回路（Ｃ２）は、前記信号線路（６）上で前記第１共振回路（１）と前記接続ノード（Ｎ１）との間に設けられ、前記第１共振回路（１）に直列に接続された第４キャパシタ（Ｃ２）を有している。
前記誘導性回路（Ｌ２）は、前記信号線路（６）上で前記第２共振回路（２）と前記接続ノード（Ｎ１）との間に設けられ、前記第２共振回路（２）に直列に接続された第４インダクタ（Ｌ２）を有している。
【００１６】
本発明のバンドパスフィルタ回路（１０）において、前記第３共振回路（３）は、その一端が前記接続ノード（Ｎ１）に接続され、その他端が接地されている。
【００１７】
本発明の通信機器（２０）は、通信装置（２１）と、制御装置（２２）とを具備している。
前記通信装置（２１）は、上記のバンドパスフィルタ回路（１０）とアンテナ（２６）と含んでいる。
前記制御装置（２２）は、送信データを前記通信装置（２１）に出力する。前記通信装置（２１）は、前記送信データを変調して送信無線信号に変換し、前記アンテナ（２６）から送出する。
前記アンテナ（２６）は、前記入力信号である受信無線信号を受信する。
前記バンドパスフィルタ回路（１０）は、前記無線信号に対応する前記入力周波数に対して前記通過帯域を通過させる。このとき、雑音や干渉による周波数成分が除去される。
前記通信装置（２１）は、前記無線信号を復調して受信データに変換し、前記制御装置（２２）に出力する。
【００１８】
本発明の通信機器（２０）は、更に、マイク（２３）と、スピーカ（２４）とを具備している。
前記制御装置（２２）は、前記マイク（２３）により入力された送信用音声を表す送信音声データを生成し、前記送信音声データを含む前記送信データを前記通信装置（２１）に出力する。
前記受信データは、受信用音声を表す受信音声データを含んでいる。
前記制御装置（２２）は、前記通信装置（２１）からの前記受信データを入力し、前記受信データに含まれる前記受信音声データが表す前記受信用音声を前記スピーカ（２４）に出力する。
【発明の効果】
【００１９】
以上により、本発明のバンドパスフィルタ回路によれば、低挿入損失な通過帯域と、高アイソレーションな遮断周波数帯域とを必要とする特性を、従来のそれよりも得ることができる。
このため、通信機器は、本発明のバンドパスフィルタ回路を搭載することにより、雑音や干渉による周波数成分を、従来のそれよりも除去することができる。
【発明を実施するための最良の形態】
【００２０】
以下に添付図面を参照して、本発明のバンドパスフィルタ回路について詳細に説明する。
【００２１】
図３は、本発明のバンドパスフィルタ回路１０の構成を示している。本発明のバンドパスフィルタ回路１０は、第１、第２帯域通過回路４、５と、第３共振回路３とを具備している。
第１、第２帯域通過回路４、５は、信号線路６上で、入力端である第１ポートＰ１と、出力端である第２ポートＰ２との間に設けられている。即ち、この第１、第２帯域通過回路４、５は、信号線路６に直列に接続されている。
第３共振回路３は、信号線路６上で第１帯域通過回路４と第２帯域通過回路５とが接続される接続ノードＮ１から、信号線路６に並列に接続されている。
【００２２】
第１帯域通過回路４は、第１共振回路１と、容量性回路とを備えている。
第１共振回路１は、第１ＬＣ並列共振回路である。以下、第１ＬＣ並列共振回路１とも称する。第１ＬＣ並列共振回路１は、信号線路６上で第１ポートＰ１と接続ノードＮ１との間に設けられ、第１共振周波数を設定するために並列に接続されたインダクタＬ１とキャパシタＣ１とを有している。
容量性回路は、信号線路６上で第１ＬＣ並列共振回路１と接続ノードＮ１との間に設けられ、第１ＬＣ並列共振回路１に直列に接続されたキャパシタＣ２を有している。
【００２３】
第２帯域通過回路５は、第２共振回路２と、誘導性回路とを備えている。
第２共振回路２は、第２ＬＣ並列共振回路である。以下、第２ＬＣ並列共振回路２とも称する。第２ＬＣ並列共振回路２は、信号線路６上で接続ノードＮ１と第２ポートＰ２との間に設けられ、第２共振周波数を設定するために並列に接続されたインダクタＬ３とキャパシタＣ３とを有している。
誘導性回路は、信号線路６上で第２ＬＣ並列共振回路２と接続ノードＮ１との間に設けられ、第２ＬＣ並列共振回路２に直列に接続されたインダクタＬ２を有している。
【００２４】
第３共振回路３は、第３ＬＣ並列共振回路である。以下、第３ＬＣ並列共振回路３とも称する。第３ＬＣ並列共振回路３は、第３共振周波数を設定するために並列に接続されたインダクタＬ４とキャパシタＣ４とを有している。インダクタＬ４及びキャパシタＣ４は、その一端が接続ノードＮ１に接続され、その他端が接地されている。
【００２５】
本発明のバンドパスフィルタ回路１０は、入力される入力信号に対応する入力周波数に対して、第１遮断周波数と第２遮断周波数との間の周波数帯域である通過帯域を通過させる。この通過帯域は、第２遮断周波数よりも大きく、第１遮断周波数よりも小さい。そこで、第１遮断周波数、第２遮断周波数をそれぞれ高アイソレーションが必要な周波数として高域側遮断周波数、低域側遮断周波数と称する。
そこで、高域側遮断周波数、低域側遮断周波数、通過中心周波数として、それぞれ、上記の第１帯域通過回路４、第２帯域通過回路５、第３共振回路３における第１共振周波数、第２共振周波数、第３共振周波数が設定される。通過中心周波数は、高域側遮断周波数と低域側遮断周波数との間の通過帯域内の周波数である。
【００２６】
たとえば、通過中心周波数を２．５ＧＨｚとし、低域側遮断周波数、高域側遮断周波数をそれぞれ１．８ＧＨｚ、３．５ＧＨｚとし、特性インピーダンスＺ０を５０Ωとする。
第１帯域通過回路４では、インダクタＬ１が４．０ｎＨであり、キャパシタＣ１が０．５ｐＦであり、キャパシタＣ２が０．４９ｐＦであるものとする。
第２帯域通過回路５では、インダクタＬ２が３．５ｎＨであり、インダクタＬ３が３．３ｎＨであり、キャパシタＣ３が２．４０ｐＦであるものとする。
第３共振回路３では、インダクタＬ４が０．７５ｎＨであり、キャパシタＣ４が５．２７ｐＦであるものとする。
【００２７】
この場合、上記の第１共振周波数は、インダクタＬ１とキャパシタＣ１との並列共振周波数として、上記の高域側遮断周波数３．５ＧＨｚに設定される。
上記の第２共振周波数は、インダクタＬ３とキャパシタＣ３との並列共振周波数として、上記の低域側遮断周波数１．８ＧＨｚに設定される。
上記の第３共振周波数は、インダクタＬ４とキャパシタＣ４との並列共振周波数として、上記の通過中心周波数２．５ＧＨｚに設定される。
【００２８】
図５は、高域側遮断周波数３．５ＧＨｚが共振周波数として設定された第１ＬＣ並列共振回路１のインピーダンスである。図６は、上記の第１ＬＣ並列共振回路１にキャパシタＣ２を直列接続した第１帯域通過回路４を、キャパシタＣ２側から見た時のインピーダンスである。図５、図６では、周波数（ｆｒｅｑ）が１ＧＨｚ、１．８ＧＨｚ、２．５ＧＨｚ、３．５ＧＨｚ、８ＧＨｚであるときの反射特性Ｓ（２、２）とインピーダンス（ｉｍｐｅｄａｎｃｅ）との関係について、それぞれ、マーカーｍ８、ｍ９、ｍ１２、ｍ１０、ｍ１６により表している。ここで、反射特性Ｓ（２、２）は、第１ポートＰ１の入射電力を０とした場合、（第２ポートＰ２の反射電力）／（第２ポートＰ２の入射電力）により表される。
そこで、キャパシタＣ２を第１ＬＣ並列共振回路１に直列接続することにより、例えばマーカーｍ８で示される低周波数側（ここでは１ＧＨｚ）におけるインピーダンスは、特性インピーダンスＺ０近傍からオープン点に近づき、かつマーカーｍ１２で示される通過中心周波数（２．５ＧＨｚ）におけるインピーダンスは、特性インピーダンスＺ０に近づく。
【００２９】
図７は、低域側遮断周波数１．８ＧＨｚが共振周波数として設定された第２ＬＣ並列共振回路２のインピーダンスである。図８は、上記の第２ＬＣ並列共振回路２にインダクタＬ２を直列接続した第２帯域通過回路５を、インダクタＬ２側から見た時のインピーダンスである。同様に、図７、図８では、周波数（ｆｒｅｑ）が１ＧＨｚ、１．８ＧＨｚ、２．５ＧＨｚ、３．５ＧＨｚ、８ＧＨｚであるときの反射特性Ｓ（１、１）とインピーダンス（ｉｍｐｅｄａｎｃｅ）との関係について、それぞれ、マーカーｍ８、ｍ９、ｍ１２、ｍ１０、ｍ１６により表している。ここで、反射特性Ｓ（１、１）は、第２ポートＰ２の入射電力を０とした場合、（第１ポートＰ１の反射電力）／（第１ポートＰ１の入射電力）により表される。
そこで、インダクタＬ２を第２ＬＣ並列共振回路２に直列接続することにより、例えばマーカーｍ１６で示される高周波数側（ここでは８ＧＨｚ）におけるインピーダンスは、特性インピーダンスＺ０近傍からオープン点に近づき、かつマーカーｍ１２で示される通過中心周波数におけるインピーダンスは、特性インピーダンスＺ０に近づく。
【００３０】
また、キャパシタＣ２の一端とインダクタＬ２の一端は、接続ノードＮ１に接続されている。この接続ノードＮ１は、第３ＬＣ並列共振回路３を介して接地されている。このため、キャパシタＣ２の一端とインダクタＬ２の一端とで高インピーダンスとなり、反射される帯域外の周波数を表す信号は接地される。上記理由により、本発明では、通過帯域内での低挿入損失と、通過帯域外での高アイソレーション特性を得ることができる。
【００３１】
図４は、本発明のバンドパスフィルタ回路１０の伝送特性図である。ここで、図４では、周波数（ｆｒｅｑ）が１．８ＧＨｚ、２．５ＧＨｚ、３．５ＧＨｚであるときの挿入損失ｄＢ（Ｓ（２、１））について、それぞれ、マーカーｍ５、ｍ４、ｍ１４により表している。挿入損失ｄＢ（Ｓ（２、１））は、通過特性Ｓ（２、１）を用いて、例えば、−２０×ｌｏｇＳ（２、１）［ｄＢ］により表される。通過特性Ｓ（２、１）は、第２ポートＰ２の入射電力を０とした場合、（第２ポートＰ２の反射電力）／（第１ポートＰ１の入射電力）により表される。
そこで、本発明のバンドパスフィルタ回路１０では、通過中心周波数２．５ＧＨｚにおける挿入損失は０．３２ｄＢであり、低域側遮断周波数１．８ＧＨｚにおける挿入損失は４３．８ｄＢであり、高域側社団周波数３．５ＧＨｚにおける挿入損失は３８．６ｄＢであった。その上、他の周波数帯でも概ね２８ｄＢ以上（−２８ｄＢ以下）の高いアイソレーション特性が得られた。
【００３２】
このように、本発明のバンドパスフィルタ回路１０によれば、低挿入損失な通過帯域と、高アイソレーションな遮断周波数帯域とを必要とする特性を、従来のそれよりも得ることができる。
【００３３】
図９は、本発明のバンドパスフィルタ回路１０が適用される通信機器２０の構成を示している。通信機器２０としては、携帯電話機、無線ＬＡＮ（Ｌｏｃａｌ  Ａｒｅａ  Ｎｅｔｗｏｒｋ）装置が例示される。以下、通信機器２０が携帯電話機であるものとする。通信機器２０は、通信装置２１と、制御装置２２と、マイク２３と、スピーカ２４とを具備している。制御装置２２は、通信装置２１とマイク２３とスピーカ２４とに接続されている。通信装置２１は、上記のバンドパスフィルタ回路１０と、アンテナ２６とを含み、制御装置２２は、ＣＰＵ（Ｃｅｎｔｒａｌ  Ｐｒｏｃｅｓｓｉｎｇ  Ｕｎｉｔ）２５を含んでいる。
【００３４】
例えば、利用者は、相手先の電話端末に対して電話を利用したい。この場合、利用者は、電話要求を制御装置２２に行なう。
このとき、制御装置２２は、利用者の音声を送信用音声としてマイク２３により入力し、その送信用音声を表す送信音声データを生成する。制御装置２２は、送信音声データを含む送信データを通信装置２１に出力する。通信装置２１は、制御装置２２から出力される送信データを変調して送信無線信号に変換し、アンテナ２６から送出する。
また、上記の入力信号である受信無線信号が通信装置２１のアンテナ２６により受信される。通信装置２１のバンドパスフィルタ回路１０は、受信無線信号に対応する入力周波数に対して通過帯域を通過させる。このとき、雑音や干渉による周波数成分が除去される。通信装置２１は、その受信無線信号を復調して受信データに変換し、制御装置２２に出力する。制御装置２２は、通信装置２１から出力された受信データを入力する。受信データは、受信用音声を表す受信音声データを含み、制御装置２２は、その受信音声データが表す受信用音声をスピーカ２４に出力する。
【００３５】
以上の説明により、本発明のバンドパスフィルタ回路１０によれば、低挿入損失な通過帯域と、高アイソレーションな遮断周波数帯域とを必要とする特性を得ることができる。このため、通信機器は、本発明のバンドパスフィルタ回路１０を搭載することにより、雑音や干渉による周波数成分を、従来のそれよりも除去することができる。
【００３６】
なお、本発明のバンドパスフィルタ回路１０では、上記の容量性回路Ｃ２と、上記の誘導性回路Ｌ２と、容量性回路Ｃ２及び誘導性回路Ｌ２とのいずれかを具備することにより、上記の効果を達成できる。
即ち、第１帯域通過回路４が容量性回路Ｃ２を備えているが、第２帯域通過回路５が誘導性回路Ｌ２を備えていなくてもよい。
または、第１帯域通過回路４が容量性回路Ｃ２を備えていないが、第２帯域通過回路５が誘導性回路Ｌ２を備えていてもよい。
または、上述のように、第１帯域通過回路４、第２帯域通過回路５がそれぞれ容量性回路Ｃ２、誘導性回路Ｌ２を備えていてもよい。
【図面の簡単な説明】
【００３７】
【図１】従来のバンドパスフィルタ回路の構成を示している。
【図２】従来のバンドパスフィルタ回路の伝送特性図である。
【図３】本発明のバンドパスフィルタ回路１０の構成を示している。
【図４】本発明のバンドパスフィルタ回路１０の伝送特性図である。
【図５】高域側遮断周波数３．５ＧＨｚが共振周波数として設定された第１ＬＣ並列共振回路１のインピーダンスである。
【図６】上記の第１ＬＣ並列共振回路１にキャパシタＣ２を直列接続した第１共振回路４を、キャパシタＣ２側から見た時のインピーダンスである。
【図７】低域側遮断周波数１．８ＧＨｚが共振周波数として設定された第２ＬＣ並列共振回路２のインピーダンスである。
【図８】上記の第２ＬＣ並列共振回路２にインダクタＬ２を直列接続した第２共振回路５を、インダクタＬ２側から見た時のインピーダンスである。
【図９】本発明のバンドパスフィルタ回路１０が適用される通信機器２０（携帯電話機、無線ＬＡＮ装置）の構成を示している。
【符号の説明】
【００３８】
１    第１ＬＣ並列共振回路（第１共振回路）
２    第２ＬＣ並列共振回路（第２共振回路）
３    第３ＬＣ並列共振回路（第３共振回路）
４    第１帯域通過回路
５    第２帯域通過回路
６    信号線路
１０    バンドパスフィルタ回路
２０    通信機器
２１    通信装置
２２    制御装置
２３    マイク
２４    スピーカ
２５    ＣＰＵ
２６    アンテナ
Ｃ１〜Ｃ４    キャパシタ
Ｌ１〜Ｌ４    インダクタ
Ｎ１    接続ノード
Ｐ１    第１ポート
Ｐ２    第２ポート
【図１】
2008005182.tif 000003
【図２】
2008005182.tif 000004
【図３】
2008005182.tif 000005
【図４】
2008005182.tif 000006
【図５】
2008005182.tif 000007
【図６】
2008005182.tif 000008
【図７】
2008005182.tif 000009
【図８】
2008005182.tif 000010
【図９】
2008005182.tif 000011